(57)【要約】      （修正有）【課題】吸気効果をそれほど低下させることなく埃や粉塵などの異物が室内に侵入するのを防止することができる吸気孔のフィルタ装置を提供する。【解決手段】蝶番等により開閉可能に結合された２枚の円環状のプレート１１，１２間にろ紙などのフィルタ１４を挟み込み、円環状のプレートは中央に比較的大きな開口部１１ａを有し、この開口部にはフィルタのたるみを防止する格子を設けるようにした。【選択図】図１
0003105515.tif 000002
【実用新案登録請求の範囲】
【請求項１】
吸気孔もしくは吸気栓の開口の大きさに対応した大きさの開口部を中央にそれぞれ有し該開口部には通気性を有しフィルタのたわみを防止可能なたわみ防止手段がそれぞれ設けられている２枚の円環状プレートと、上記円環状プレート間に挟持されるフィルタと、上記円環状プレートを開閉可能に結合する連結手段と、上記円環状プレートのいずれか一方に設けられ吸気孔の前面に装置を固定するための固定手段とを備え、上記円環状プレートの中心には吸気量調整可能な吸気栓の調整用つまみの外径よりも少し大きな内径を有し上記格子により支えられたリング部が、また上記フィルタの中心には上記リング部の内径に対応した開口部が設けられていることを特徴とする吸気孔のフィルタ装置。
【請求項２】
吸気孔もしくは吸気栓の開口の大きさに対応した大きさの開口部を中央にそれぞれ有し該開口部には通気性を有しフィルタのたわみを防止可能なたわみ防止手段がそれぞれ設けられている２枚の円環状プレートと、上記円環状プレート間に挟持されるフィルタと、上記円環状プレートを開閉可能に結合する連結手段と、上記円環状プレートのいずれか一方に設けられ吸気量調整可能な吸気栓の調整用つまみの突出量よりも高い円筒状の脚部が設けられ、該脚部にて上記吸気栓の前面に装置を固定するための固定手段を備えることを特徴とする吸気孔のフィルタ装置。
【請求項３】
上記たわみ防止手段は格子状のリブであることを特徴とする請求項１または２に記載の吸気孔のフィルタ装置。
【請求項４】
上記連結手段は上記２枚の円環状プレート同士を接線方向の軸を中心として回動可能に結合し、上記円環状プレートの上記連結手段と反対側には、これらを閉じたときに開かないように係止するための係止手段が設けられていることを特徴とする請求項１〜３のいずれかに記載の吸気孔のフィルタ装置。
【請求項５】
上記固定手段は表裏に接着剤層が設けられた両面テープであることを特徴とする請求項１〜４のいずれかに記載の吸気孔のフィルタ装置。
【請求項６】
上記固定手段は、上記吸気栓の前面に設けられた穴に挿入され上記円環状プレートが回転されることにより上記吸気栓から脱落不能に係合する鉤状のフックであることを特徴とする請求項１〜４のいずれかに記載の吸気孔のフィルタ装置。
【請求項７】
上記固定手段は、上記円環状プレートとは別個に形成された円環状スペーサであって、その一方の面に表裏に接着剤層が設けられた両面テープが貼付され、他方の面には上記円環状プレートに形成された係合穴と係合可能な鉤状のフックもしくは上記円環状プレートに形成された鉤状のフックと係合可能な係合穴が形成されていることを特徴とする請求項１〜４のいずれかに記載の吸気孔のフィルタ装置。
【考案の詳細な説明】
【技術分野】
【０００１】
本考案は、吸気孔のフィルタ装置に関し、特に住宅の壁に設けられて外気を取り入れるための吸気孔に装着して、埃や粉塵などの異物の侵入を阻止するフィルタ装置に利用して有効な技術に関する。
【背景技術】
【０００２】
近年、マンションなどの住宅においては、建築技術の発展により気密性が高い構造になっているため、そのままでは室内の通気性が悪くなってしまう。そこで、一般に住宅の壁には外気を取り入れるための円筒状の吸気孔が設けられることが多い。また、吸気孔をそのままにしておいたのでは、エアコンなどによる冷暖房効率が低下してしまうので、この吸気孔には、通気を可能にしたり遮断したりできるようにするための吸気栓が設けられている。
【考案の開示】
【考案が解決しようとする課題】
【０００３】
従来の吸気栓は、単に通気を可能にしたり遮断したりするだけであり、フィルタのようなものは設けられていなかった。そのため、この吸気栓を通して埃や粉塵などの異物が室内に侵入してしまうのを防止することができなかった。
【０００４】
そこで、内部にろ紙などからなるフィルタを有し吸気栓全体を覆うようにしたフィルタ装置が提案されている。しかしながら、ろ紙などのフィルタは腰が弱くそのままではたるんでしまうので、フィルタを保持しかつ吸気栓の前面に装着するためのプレートが必要になる。ところが、このようなプレートを設けると吸気栓の吸気効果を著しく低下させてしまうおそれがある。
【０００５】
一方、吸気効果を損なわないようにするため、フィルタとプレートとの間に隙間を設けることも考えられるが、そのようにすると内蔵したフィルタの効果が低下してしまうという課題がある。
【０００６】
この考案の目的は、吸気効果をそれほど低下させることなく埃や粉塵などの異物が室内に侵入するのを防止することができる吸気孔のフィルタ装置を提供することにある。
この考案の他の目的は、取り付け取り外しを容易に行なうことができる吸気孔のフィルタ装置を提供することにある。
【課題を解決するための手段】
【０００７】
本考案は、上記目的を達成するため、蝶番等により開閉可能に結合された２枚の円環状のプレート間にろ紙などのフィルタを挟み込み、円環状のプレートは中央に比較的大きな開口部を設けるとともに、この開口部にはフィルタのたるみを防止する格子を設けるようにしたものである。
【０００８】
また、吸気孔に設けられる吸気栓は一般に吸気調整用のつまみが設けられているので、そのような吸気栓の前面に装着可能にするため、当該つまみの突出量よりも若干高い円筒状の脚部を一方の円環状プレートの外面に設けるか、上記つまみの径よりも若干大きな内径を有するリング部を設けてそのリング部を上記格子で支える構造とした。
【０００９】
さらに、上記のような構成のフィルタ装置を、吸気栓の前面に簡単に装着できるようにするため、上記円環状プレートとは別個に形成され、その一方の面に表裏に接着剤層が設けられた両面テープが貼付され、他方の面には上記円環状プレートに形成された係合穴と係合可能な鉤状のフックが設けられた円環状スペーサを用いるようにした。これにより、フィルタの交換の際に両面テープを取り替えたり吸気栓の前面プレートに係合穴を設けたりする加工を施す必要がなくなる。
【考案の効果】
【００１０】
本考案に従うと、開閉可能に結合された２枚の円環状のプレート間にろ紙などのフィルタを挟み込む構成であるため、容易にフィルタを交換することができる。また、フィルタを保持する円環状のプレートの中央に比較的大きな開口部が形成されているため、吸気効果をそれほど低下させることなく埃や粉塵などの異物が室内に侵入するのを防止することができる。
【００１１】
また、円環状のプレートの中央の開口部には格子が設けられているため、この格子によってフィルタのたるみを防止することができる。さらに、取り付け手段として両面テープもしくは鉤状のフックを用いるようにしているため、取り付け取り外しを容易に行なうことができ、フィルタの交換が容易であるとともに、フィルタの交換の際に円環状プレートを洗浄することが可能になるという効果がある。
【考案を実施するための最良の形態】
【００１２】
以下、本考案の好適な実施例を図面に基づいて説明する。
【実施例１】
【００１３】
図１および図２は、本考案に係るフィルタ装置の第１の実施例を示す。
図１において、２０は吸気孔に設けられる吸気栓、１０はこの吸気栓２０の前面に装着される本考案に係るフィルタ装置である。吸気栓２０の構造は公知であるので、詳細な説明は省略するが、中央に吸気調整用のつまみ２１が設けられており、このつまみ２１を回したり引っ張ったりすることで吸気量を調整できる構造になっている。
【００１４】
第１の実施例のフィルタ装置１０は、図２に示すように、中央に比較的大きな開口部１１ａ，１２ａをそれぞれ有する２枚の円環状のプレート１１，１２と、該円環状プレート１１，１２を開閉可能に結合する蝶番１３と、上記円環状プレート１１，１２間に挟持されるろ紙などからなるフィルタ１４と、円環状プレート１１，１２を吸気栓２０の前面に装着するためのスペーサ１５とから構成される。
【００１５】
上記円環状プレート１１，１２の一方のプレート１２の蝶番と反対側には、これらを閉じたときに開かないように係止するためのフック１２ｂが設けられている。また、開口部１１ａ，１２ａの大きさ（直径）は、吸気栓２０の開口と同じもしくは若干大きければよく、この実施例では円環状プレート１１，１２の外径の１／２よりも大きな径を有するように形成されている。
【００１６】
また、上記円環状プレート１１，１２の開口部１１ａ，１２ａにはフィルタ１４のたるみを防止するためリブ状の格子１１ｃ，１２ｃが設けられている。さらに、上記円環状プレート１１，１２の中央には、上記吸気栓２０の吸気調整用つまみ２１の径よりも若干大きな内径を有するリング部１１ｄ，１２ｄがそれぞれ設けられており、それらのリング部１１ｄ，１２ｄは上記格子１１ｃ，１２ｃで支えられるようになっている。
【００１７】
スペーサ１５の中央には円環状プレート１１，１２と同様な開口部１５ａが設けられており、その裏面側には、表裏に接着剤層が設けられ表面に剥離紙が張られた円環状の両面テープ１６が貼付されているとともに、スペーサ１５の表面側には円環状プレート１２と結合するための鉤状フック１５ｂが等間隔で３箇所設けられている。
【００１８】
一方、円環状プレート１２には、図２に示すように、上記鉤状フック１５ｂと係合可能な３個の係合穴１２ｅが設けられている。円環状プレート１２に鉤状フックを設け、スペーサ１５に該フックと係合可能な係合穴を設けるようにしても良い。また、鉤状フック１５ｂの数は３個に限定されず、２個以上であればよい。
【００１９】
上記円環状プレート１１，１２と格子１１ｃ，１２ｃとリング部１１ｄ，１２ｄは、プラスチックなどにより一体的に形成されている。格子１１ｃ，１２ｃのリブは、それぞれ直交するように形成されているが、斜めに交差したり、リング状のリブと放射状のリブとからなりそれらが交差する構造であっても良い。蝶番１３は、円環状プレート１１，１２と別個に形成された金属製の部品であっても良いが、円環状プレート１１，１２と同一の材料で一体に形成され変形可能な程度の厚みにされたものであっても良い。
【００２０】
この実施例では、フィルタ１４の中央には、上記リング部１１ｄ，１２ｄに対応して同様な径を有する開口部１４ａが形成され、装置を装着した状態で上記吸気栓２０の吸気調整用つまみ２１の先端が開口部１４ａから突出するように構成される。フィルタ１４はやわらかい材料であるので、フィルタの開口部１４ａの径をつまみ２１の外径よりも少し小さく設計しておくようにしても良い。これにより、開口部１４ａとつまみ２１との間にすきまが生じないようにすることができ、フィルタの効果を高めて、より確実に埃や粉塵の侵入を防止することができる。
【００２１】
次に、本実施例のフィルタ装置１０の吸気栓２０前面への装着方法を説明する。
フィルタ装置１０を吸気栓２０前面へ装着するに際しては、先ず、スペーサ１５の裏面側の両面テープ１６の表面の剥離紙を剥がしてスペーサ１５を吸気栓２０前面に接合させる。すると、両面テープ１６の接着力により、スペーサ１５が吸気栓２０の前面に接着される。
【００２２】
次に、図２に示すように、２枚の円環状のプレート１１，１２を開いてその間にフィルタ１４を挟み込んでからプレートを閉じて、蝶番１３と反対側に設けられている爪１２ｂの先端を他方のプレート１１の端に引っ掛けて開かないようにした状態で、円環状プレート１２の係合穴１２ｅがスペーサ１５の表面の鉤状フック１５ｂと係合するように、円環状プレート１２をスペーサ１５の表面に接合させてプレート全体を回転させる。すると、鉤状フック１５ｂが円環状プレート１２の係合穴１２ｅにしっかりと入り込んで円環状プレート１２とスペーサ１５とが一体化され、装着が完了する。
【００２３】
本実施例においては、スペーサ１５を設けているが、スペーサ１５を省略し円環状プレート１２の裏面に両面テープを貼付しておいて、この両面テープで円環状プレート１２を直接吸気栓２０の前面に貼り付けるように構成したり、円環状プレート１２の裏面にフックを設けるとともに吸気栓２０の前面プレートに係合穴を設けておいて、フックで円環状プレート１２を直接吸気栓２０の前面に装着させるように構成しても良い。
【００２４】
ただし、本実施例のようにスペーサ１５を介在させることにより、フィルタの交換の際に両面テープを取り替えたり吸気栓２０の前面プレートに係合穴を設けたりする加工を施す必要がないという利点がある。
【実施例２】
【００２５】
図３〜図５は、本考案に係るフィルタ装置の第２の実施例を示す。
本実施例は、第１の実施例におけるプレート中央のリング部１１ｄ，１２ｄとフィルタ中央の開口部１４ａをなくすようにした実施例である。ただし、そのようにすると、吸気栓２０の吸気調整用つまみ２１に当たって装着できなくなってしまうので、この実施例では、円環状プレート１１，１２のうち上記吸気栓２０への取り付け側のプレート１２の周縁部に、上記つまみ２１の突出量よりも若干高い円筒状の脚部１２ｇを設けるようにしたものである。
【００２６】
また、脚部１２ｇの先端は内側に折り曲げられて、吸気栓２０の前面との接合面１２ｈが形成されている。そして、この接合面１２ｈには、実施例１で説明したのと同様なスペーサ１５の鉤状フック１５ｂと係合可能な係合穴１２ｅが３箇所に設けられている。本実施例のフィルタ装置１０の吸気栓２０前面への装着方法は、実施例１と同様であるので、説明は省略する。図５に、フィルタ装置１０を吸気栓２０前面へ装着した状態を示す。
【００２７】
この実施例では、実施例１と同様な効果に加え、フィルタ１４の中央に開口部１４ａを設ける必要がないので、無駄な隙間がなくなり、フィルタの効果を高めて、確実に埃や粉塵の侵入を防止することができるという効果がある。
【実施例３】
【００２８】
図６は、本考案に係るフィルタ装置の第３の実施例を示す。
この実施例は、スペーサを用いずにフィルタ装置１０を吸気栓２０に取り付けることができるようにするため、図６のように上記プレート１２の脚部１２ｇの接合面１２ｈに、鉤状フック１２ｆを等間隔で設け、これらの鉤状フック１２ｆを吸気栓２０の係合穴２２に係合させてからプレート１１，１２全体を回すことによって、フィルタ装置１０を吸気栓２０の前面に装着できるようにしたものである。フックと係合穴との関係は逆つまり吸気栓２０の前面プレートにフックを設けておくとともに円環状プレート１２の裏面に係合穴を設けておくように構成しても良い。
【００２９】
ところで、鉤状フック１２ｆを止め具とする場合、吸気栓２０には係合穴２２が設けられていなければならないので、面倒である。そこで、鉤状フックと係合穴を用いる代わりに、表裏に接着剤層が設けられ円環状に切断された両面テープを用いてプレート１２の脚部１２ｇの接合面１２ｈと吸気栓２０の前面とを接合させて取り付けるようにしても良い。
【００３０】
以上本考案者によってなされた考案を実施例に基づき具体的に説明したが、本考案は上記実施例に限定されるものではなく、その要旨を逸脱しない範囲で種々変更可能であることはいうまでもない。例えば、フィルタ装置の吸気栓２０前面への取り付け手段は、鉤状フックまたは両面テープに限定されず、例えばネジなどこれら以外の手段であっても良い。
【００３１】
また、フィルタのたわみを防止するたわみ防止手段も格子状のものに限定されず、例えば放射状のリブ若しくはらせん状のリブと中央のリング部のみからなるものなど種々の形態が考えられる。要するにフィルタのたわみを防止できる程度の強度があり、空気抵抗の小さなものであればどのようなものであっても良い。
【００３２】
さらに、前記実施例では、吸気口と吸気栓がそれぞれ円筒状である場合について説明したが、本考案は吸気口や吸気栓の断面が四角である場合にも円環状プレート１１，１２およびフィルタ１４を対応する形状に形成することで適用することが可能である。
【産業上の利用可能性】
【００３３】
以上の説明では主として本考案者によってなされた考案をその背景となった利用分野である住宅の壁に設けられて外気を取り入れるための吸気栓に装着されるフィルタ装置に適用した場合を説明したが、吸気の調整構造を持たない単なる円筒状の吸気孔に装着するフィルタ装置としても適用することができる。
【図面の簡単な説明】
【００３４】
【図１】本考案に係るフィルタ装置の第１の実施例を示す斜視図である。
【図２】第１の実施例のフィルタ装置のプレートを開いた状態を示す斜視図である。
【図３】本考案に係るフィルタ装置の第２の実施例を示す斜視図である。
【図４】第２の実施例のフィルタ装置を背面側から見た様子を示す斜視図である。
【図５】第２の実施例のフィルタ装置を吸気栓の前面に装着した状態を示す断面側面図である。
【図６】第３の実施例のフィルタ装置を吸気栓の前面に装着した状態を示す断面側面図である。
【符号の説明】
【００３５】
１０  フィルタ装置
１１，１２  円環状プレート
１１ａ，１２ａ  開口部
１２ｅ  係合穴
１３  蝶番
１４  フィルタ
１５  スペーサ
１５ｂ  鉤状フック
１６  両面テープ
２０  吸気栓
２１  吸気調整用つまみ
【図１】
0003105515.tif 000003
【図２】
0003105515.tif 000004
【図３】
0003105515.tif 000005
【図４】
0003105515.tif 000006
【図５】
0003105515.tif 000007
【図６】
0003105515.tif 000008